(57)【要約】【課題】半透過半反射型パネル装置を提供する。【解決手段】マトリックス方式により配列され、第一ゲート線に結合される透過部及び第二ゲート線に結合される反射部を含む複数の画素、及び第一駆動ユニット及び第二駆動ユニットからなり、前記第一駆動ユニットは前記第一ゲート線に接続されると共に第一駆動信号に基づいて前記透過部を駆動させ、前記第二駆動ユニットは前記第二ゲート線に接続されると共に第二駆動信号に基づいて前記反射部を駆動させるゲートドライブを備える。前記第一駆動信号及び前記第二駆動信号は独立して制御される。【選択図】図３
2015219520.tif 000002
【特許請求の範囲】
【請求項１】
マトリックス方式で配列され、且つ第一ゲート線に結合される透過部及び第二ゲート線に結合される反射部を含む複数の画素と、
第一駆動ユニット及び第二駆動ユニットを有し、且つ前記第一駆動ユニットは前記第一ゲート線に接続されると共に第一駆動信号に基づいて前記透過部を駆動させ、前記第二駆動ユニットは前記第二ゲート線に接続されると共に第二駆動信号に基づいて前記反射部を駆動させるゲートドライブとを備え、
ここでは、前記第一駆動信号及び前記第二駆動信号は独立して制御されることを特徴とする半透過半反射型パネル装置。
【請求項２】
前記第一駆動信号の走査周波数は前記第二駆動信号の走査周波数とは異なることを特徴とする、請求項１記載の半透過半反射型パネル装置。
【請求項３】
前記第一駆動信号のパルス幅は前記第二駆動信号のパルス幅とは異なることを特徴とする、請求項１記載の半透過半反射型パネル装置。
【請求項４】
環境輝度或いは使用者の制御に基づいて調整値を提供する調整ユニットと、
前記調整値に基づいてバックライト輝度を提供するバックライトモジュールとを更に備えることを特徴とする、請求項１記載の半透過半反射型パネル装置。
【請求項５】
前記環境輝度が暗い場合、前記第一駆動信号の走査周波数が前記第二駆動信号の走査周波数より高くなり、また、前記環境輝度が明るい場合、前記第一駆動信号の走査周波数が前記第二駆動信号の走査周波数より低くなることを特徴とする、請求項４記載の半透過半反射型パネル装置。
【請求項６】
前記環境輝度が暗い場合、前記第一駆動信号のパルス幅が前記第二駆動信号のパルス幅より大きくなり、また、前記環境輝度が明るい場合、前記第一駆動信号のパルス幅が前記第二駆動信号のパルス幅より小さくなることを特徴とする、請求項４記載の半透過半反射型パネル装置。
【請求項７】
前記第一駆動ユニットは前記複数の画素の第一側に設置され、前記第二駆動ユニットは前記複数の画素の前記第一側に対する第二側に設置されることを特徴とする、請求項１記載の半透過半反射型パネル装置。
【請求項８】
前記第一駆動ユニット及び前記第二駆動ユニットの２つは共に前記複数の画素の同一側に設置されることを特徴とする、請求項１記載の半透過半反射型パネル装置。
【請求項９】
前記調整ユニットは前記環境輝度の感知に用いられる光感知器であることを特徴とする、請求項４記載の半透過半反射型パネル装置。
【請求項１０】
前記調整ユニットは使用者により手動調整が行われることを特徴とする、請求項４記載の半透過半反射型パネル装置。
【発明の詳細な説明】
【技術分野】
【０００１】
本発明は、半透過半反射型パネル装置に関する。
【背景技術】
【０００２】
液晶表示パネルは典型的に透過式液晶表示パネル及び反射式液晶表示パネルに分けられる。透過式液晶表示パネルについては、液晶表示パネルにバックライトの設置が必須であり、これにより好ましい輝度での映像表示を達成させる。
【発明の概要】
【発明が解決しようとする課題】
【０００３】
しかしながら、前述した従来の透過式液晶表示パネル技術では、バックライトによる電力の消耗が透過式液晶表示パネル全体の電力の消耗の大部分を占め、このため透過式液晶表示パネルの電力の消耗は理想からはほど遠い。換言すれば、反射式液晶表示パネルならばバックライトモジュールを省略するのと同程度にバックライトモジュールの高い電力の消耗問題を解決させるが、但しこれにも輝度が低い環境では映像表示に優れないという問題があった。
【０００４】
なお、透過式液晶表示パネル及び反射式液晶表示パネルの長所を兼ね備えるために、本発明では半透過半反射式液晶表示パネルを掲示する。図１は従来の半透過半反射型パネル装置を示す概略図である。前記半透過半反射式液晶表示パネルは、複数の画素８及びゲートドライブ３を備える。前記複数の画素８はマトリックス方式で配列され、各画素８は透過部８１及び反射部８２を含む。前記ゲートドライブ３は複数本のゲート線Ｇ１〜Ｇｎを有し、各ゲート線は上述の前記透過部８１及び前記反射部８２を開くために設置される。環境輝度が変化すると、前記半透過半反射式液晶表示パネルは前記複数本のゲート線Ｇ１〜Ｇｎのみが制御されて前記画素８の前記透過部８１及び前記反射部８２が同時に開かれるか閉められ、前記バックライトの調整が行われる。前記半透過半反射式液晶表示パネルは前記画素８の前記透過部８１及び前記反射部８２を別々に制御させることが出来ないため、効率が高まらなかった。
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものであり、その目的とすることろは、半透過半反射型パネル装置を提供することを主目的とする。即ち、前記環境輝度に基づいて異なるリフレッシュレート或いは表示時間により画素の透過部及び反射部をそれぞれ駆動させる。
【課題を解決するための手段】
【０００７】
上述した課題を解決し、上記目的を達成するための本発明に係る半透過半反射型パネル装置は、マトリックス方式で配列され、且つ第一ゲート線に結合される透過部及び第二ゲート線に結合される反射部を含む複数の画素と、第一駆動ユニット及び第二駆動ユニットを有し、且つ前記第一駆動ユニットは前記第一ゲート線に接続されると共に第一駆動信号に基づいて前記透過部を駆動させ、前記第二駆動ユニットは前記第二ゲート線に接続されると共に第二駆動信号に基づいて前記反射部を駆動させるゲートドライブとを備え、ここでは、前記第一駆動信号及び前記第二駆動信号は独立して制御されることを特徴とする。
【発明の効果】
【０００８】
本発明によれば、透過式液晶表示パネル及び反射式液晶表示パネルの長所が得られる。
【図面の簡単な説明】
【０００９】
【図１】従来の半透過半反射型パネル装置を示す概略図である。
【図２】本発明の半透過半反射型パネル装置を示す概略図である。
【図３】本発明の半透過半反射型パネル装置の部分を示す概略図である。
【図４】本発明の第１実施形態による半透過半反射型パネル装置の操作時間を示す概略図である。
【図５】本発明の第１実施形態による半透過半反射型パネル装置を示す走査周波数図である。
【図６（Ａ）】本発明の第２実施形態による半透過半反射型パネル装置の操作時間を示す概略図である。
【図６（Ｂ）】本発明の第３実施形態による半透過半反射型パネル装置の操作時間を示す概略図である。
【図６（Ｃ）】本発明の第４実施形態による半透過半反射型パネル装置の操作時間を示す概略図である。
【図７】本発明の第５実施形態による半透過半反射型パネル装置の操作時間を示す概略図である。
【図８（Ａ）】本発明の第６実施形態による半透過半反射型パネル装置の操作時間を示す概略図である。
【図８（Ｂ）】本発明の第７実施形態による半透過半反射型パネル装置の操作時間を示す概略図である。
【図９】本発明の半透過半反射型パネル装置を示す動作の概略図である。
【図１０（Ａ）】本発明の半透過半反射型パネル装置が伝送モードでの駆動の概略図である。
【図１０（Ｂ）】本発明の半透過半反射型パネル装置が伝送モードでの駆動の概略図である。
【図１０（Ｃ）】本発明の半透過半反射型パネル装置が伝送モードでの駆動の概略図である。
【図１０（Ｄ）】本発明の半透過半反射型パネル装置が伝送モードでの駆動の概略図である。
【発明を実施するための形態】
【００１０】
以下に図面を参照して、本発明を実施するための形態について、詳細に説明する。なお、本発明は、以下に説明する実施形態に限定されるものではない。
＜第１実施形態＞
【００１１】
以下、本発明の具体的な実施形態について添付図面に基づき説明する。図２は本発明の半透過半反射型パネル装置を示す概略図である。前記半透過半反射型パネル装置１は、パネル９のマトリックス方式で配列される複数の画素２、第一駆動ユニット３１並びに第二駆動ユニット３２を有するゲートドライブ３、データドライブ４、調整ユニット５、制御装置６、及びバックライトモジュール７を備える。この好ましい実施態様では、前記第一駆動ユニット３１及び第二駆動ユニット３２は前記パネル９の前記複数の画素２の対向する２つの側辺に設置され、前記データドライブ４は前記パネル９の前記複数の画素２の底辺に設置される。前記データドライブ４が前記パネル９の前記複数の画素２の上辺に設置されてもよい。
【００１２】
図３は本発明の半透過半反射型パネル装置の部分を示す概略図である。図２及び３に示すように、各々がマトリックス方式で配列される前記複数の画素２は、透過部（Ｔ部分）２１及び反射部（Ｒ部分）２２を備える。各透過部２１は薄膜トランジスタ（図示せず）が第一ゲート線（Ｇ１、Ｇ３、・・・、或いはＧｎ−１）及び対応するデータ線（Ｄ１、Ｄ２、・・・、或いはＤｎ）に接続され、各反射部２２は薄膜トランジスタ（図示せず）が第二ゲート線（Ｇ２、Ｇ４、・・・、或いはＧｎ）及び対応するデータ線（Ｄ１、Ｄ２、・・・、或いはＤｎ）に接続される。
【００１３】
この実施態様では、前記第一駆動ユニット３１は前記複数の画素２の第一側辺に設置され、例えば左辺に設置され、前記第二駆動ユニットは前記第一側辺に対向する前記複数の画素２の第二側辺に設置され、例えば右辺に設置される。前記第一駆動ユニット３１は前記第一ゲート線Ｇ１、Ｇ３、Ｇ５、・・・、或いはＧｎ−１に接続されると共に第一駆動信号に基づいて前記透過部２１が駆動され、前記第二駆動ユニット３２は前記第二ゲート線Ｇ２、Ｇ４、Ｇ６、・・・、或いはＧｎに接続されると共に第二駆動信号に基づいて前記反射部２２が駆動され、前記第一駆動信号及び前記第二駆動信号は独立して制御される。上述の２本の前記ゲート線が設置されて前記画素２の前記透過部２１及び前記反射部２２をそれぞれ駆動させる。図３に示すように、２本のゲート線Ｇ１及びゲート線Ｇ２が設置されて上述の前記画素２の前記透過部２１及び前記反射部２２をそれぞれ駆動させる。
【００１４】
また、他の実施態様では、前記第一駆動ユニット３１及び第二駆動ユニット３２の２つは前記複数の画素２の同一側に設置される。他の実施形態によれば、前記ゲートドライブ３は前記第一駆動ユニット３１及び第二駆動ユニット３２を備え、例えば１つのゲートドライブ３のみが設置されて上述の画素２の透過部２１及び反射部２２をそれぞれ駆動させる。
【００１５】
前記データドライブ４は複数本のデータ線Ｄ１〜Ｄｎを有し、各データ線はデータ電圧を上述の画素２に供給するために設置される。
【００１６】
前記調整ユニット５は環境輝度或いは使用者の制御に基づいて調整値を提供するのに使用される。前記調整ユニット５は好ましい実施方式によると、光感知器により環境輝度が感知されて前記調整値を提供する。他の実施態様では、前記調整ユニットが使用者に手動で調整されることで前記調整値を提供する。
【００１７】
なお、前記制御装置６は前記第一駆動ユニット３１、第二駆動ユニット３２、及び前記データドライブ４に接続され、前記ゲート線Ｇ１〜Ｇｎの制御に用いられると共にそれぞれ第一駆動信号に基づいて前記透過部２１を駆動させ、第二駆動信号に基づいて前記反射部２２を駆動させ、前記データ線Ｄ１〜Ｄｎを制御させて前記データ電圧を選択的に提供する。前記第一駆動信号の走査周波数は前記第二駆動信号の走査周波数とは異なり、前記第一駆動信号のパルス幅は前記第二駆動信号のパルス幅とは異なる。
【００１８】
前記バックライトモジュール７は前記制御装置６により制御され、且つ前記調整値に基づいてバックライト輝度を提供する。
【００１９】
図４は本発明の第１実施形態による半透過半反射型パネル装置の操作時間を示す概略図である。図４に示すように、１つのフレーム（frame）の時間では、第一駆動ユニット３１が第一駆動信号をゲート線Ｇ１、Ｇ３、Ｇ５、・・・、Ｇｎ−１に提供すると共に透過部２１を順に駆動させ、且つ透過部２１にデータ電圧Ｄａｔａ（Ｔ）を提供する。第二駆動ユニット３２は第二駆動信号をゲート線Ｇ２、Ｇ４、Ｇ６、・・・、Ｇｎに提供すると共に反射部２２を順に駆動させ、且つ反射部２２にデータ電圧Ｄａｔａ（Ｒ）を提供する。本実施態様では、第一駆動信号のパルス幅は第二駆動信号のパルス幅に等しい。
【００２０】
図５は本発明の第１実施形態による半透過半反射型パネル装置を示す走査周波数図である。操作時間では、透過部が５０Ｈｚの走査周波数を有し、反射部が１０Ｈｚの走査周波数を有する。即ち、各５つのフレームに前記反射部の走査時間が１回出現し、前記透過部の走査時間が５回出現する（図５参照）。前記第一駆動ユニット３１及び第二駆動ユニット３２が前記画素２の前記透過部２１及び前記反射部２２を異なる駆動信号の走査周波数でそれぞれ駆動させる。
＜第２実施形態＞
【００２１】
図６（Ａ）は本発明の第２実施形態による半透過半反射型パネル装置の操作時間を示す概略図である。図６（Ａ）は図４に相似するが、しかし、差異は、前記画素２の前記反射部２２の駆動が不要な場合、図５の第二フレームに示すように、前記第二駆動ユニット３２が前記画素２の前記反射部２２を駆動させないため、電力の消耗が減少する点である。
【００２２】
他の例では、同様に、前記画素２の前記透過部２１の駆動が不要な場合、前記第二駆動ユニット３２が前記画素２の前記反射部２２を駆動させて、前記第一駆動ユニット３１が前記画素２の前記透過部２１を駆動させなくてもよい。
＜第３実施形態＞
【００２３】
図６（Ｂ）は本発明の第３実施形態による半透過半反射型パネル装置の操作時間を示す概略図である。図６（Ｂ）は図４に相似するが、しかし、差異は、反射部２２の駆動が不要な場合、１つのフレームで前記第一駆動ユニット３１が全て前記透過部２１の駆動に用いられ、効率を更に高める点である。
【００２４】
他の例では、同様に、前記画素２の前記透過部２１の駆動が不要な場合、１つのフレームで前記第二駆動ユニット３２が全て前記反射部２２の駆動に用いられてもよい。
＜第４実施形態＞
【００２５】
図６（Ｃ）は本発明の第４実施形態による半透過半反射型パネル装置の操作時間を示す概略図である。図６（Ｃ）は図４に相似するが、しかし、差異は、前記透過部２１を駆動させる前記第一駆動信号のパルス幅が前記反射部２２を駆動させる前記第二駆動信号のパルス幅より大きくなる点である。１つのフレームで、前記第一駆動ユニット３１及び第二駆動ユニット３２は透過部２１及び反射部２２を異なるパルス幅で自由に駆動させ、効率を改善させて電力の消耗を減少させる。
【００２６】
他の例では、同様に、前記反射部２２を駆動させる前記第二駆動信号のパルス幅が前記透過部２１を駆動させる前記第一駆動信号のパルス幅より大きくなってもよい。
＜第５実施形態＞
【００２７】
図７は本発明の第５実施形態による半透過半反射型パネル装置の操作時間を示す概略図である。図７に示すように、１つのフレーム（frame）の時間では、前記第一駆動ユニット３１及び前記第二駆動ユニット３２が前記透過部２１及び前記反射部２２を交替で駆動させ、且つ前記透過部の走査時間（Ｔ部分走査）の間及び反射部の走査時間（Ｒ部分走査）の間に、前記データドライブ４が前記透過部２１及び前記反射部２２にデータ電圧（Ｄａｔａ（Ｔ）或いはＤａｔａ（Ｒ））をそれぞれ提供する。本実施形態において、第一駆動信号のパルス幅は第二駆動信号のパルス幅に等しい。
＜第６実施形態＞
【００２８】
図８（Ａ）は本発明の第６実施形態による半透過半反射型パネル装置の操作時間を示す概略図である。図８（Ａ）は図７に相似するが、しかし、差異は、前記反射部２２の駆動が不要な場合、１つのフレームで前記第二駆動ユニット３２が前記画素２の前記反射部２２を駆動させないことで、電力の消耗を減少させる点である。
【００２９】
また、他の例では、同様に、前記画素２の前記透過部２１の駆動が不要な場合、前記第二駆動ユニット３２が前記画素２の前記反射部２２を駆動させて、前記第一駆動ユニット３１が前記画素２の前記透過部２１を駆動させなくてもよい。
【００３０】
なお、他の例では、同様に、前記画素２の前記反射部２２の駆動が不要な場合、前記第一駆動ユニット３１が前記画素２の前記透過部２１を全てのフレームで駆動させてもよい（図６（Ｂ）参照）。
【００３１】
さらに、他の例では、同じく、前記画素２の前記透過部２１の駆動が不要な場合、前記第二駆動ユニット３２が前記画素２の前記反射部２２を全てのフレームで駆動させてもよい。
＜第７実施形態＞
【００３２】
図８（Ｂ）は本発明の第７実施形態による半透過半反射型パネル装置の操作時間を示す概略図である。図８（Ｂ）は図７に相似するが、しかし、差異は、前記透過部２１を駆動させる前記第一駆動信号のパルス幅が前記反射部２２を駆動させる前記第二駆動信号のパルス幅より大きくなる点である。１つのフレームで前記第一駆動ユニット３１及び第二駆動ユニット３２が前記画素２の前記透過部２１及び反射部２２を異なるパルス幅で自由に駆動させることで、効率を改善させて電力の消耗を減少させる。
【００３３】
他の例では、同様に、前記反射部２２を駆動させる前記第二駆動信号のパルス幅が前記透過部２１を駆動させる前記第一駆動信号のパルス幅より大きくなる。
＜第８実施形態＞
【００３４】
図９は本発明の半透過半反射型パネル装置を示す動作の概略図である。図９の左には前記環境輝度が暗い場合の表１を示し、前記第一駆動信号のパルス幅が図６（Ａ）、図６（Ｂ）、或いは図８（Ａ）に示す前記第二駆動信号のパルス幅より大きくなり、前記第一駆動信号の走査周波数が前記第二駆動信号の走査周波数より高くなり、同時に、前記バックライトモジュール７が駆動されてライトに前記透過部２１を透過させる。
【００３５】
これ以外にも、図５に示すように、操作時間中に前記透過部の走査時間で５０Ｈｚの走査周波数を有し、前記反射部の走査時間で１０Ｈｚの走査周波数を有する場合、図５の第１フレーム及び第２フレームから第５フレームまでは図４のフレーム及び図６（Ａ）、図６（Ｂ）、或いは図６（Ｃ）のフレームにそれぞれ示すようになり、且つ常に重複して同じ配置になる。
【００３６】
操作時間中に前記透過部の走査時間で５０Ｈｚの走査周波数を有し、前記反射部の走査時間で１０Ｈｚの走査周波数を有する場合、第１フレーム及び第２フレームから第５フレームは図７のフレーム及び図８（Ａ）、図６（Ｂ）、或いは図８（Ｂ）に示すフレームのようになり、且つ常に重複して同じ配置になってもよい。
【００３７】
表１及び図９に示すように、図９の右は前記環境輝度が明るい場合を図示し、前記第一駆動信号のパルス幅が前記第二駆動信号のパルス幅より小さくなり、前記第一駆動信号の走査周波数が前記第二駆動信号の走査周波数より低くなり、且つ前記バックライトモジュール７が駆動されない。１つのフレームでの前記透過部２１及び前記反射部２２の分布は、図６（Ａ）、図６（Ｂ）、図６（Ｃ）、図８（Ａ）、及び図８（Ｂ）に示すように、前記透過部２１及び前記反射部２２を交換する方式で実施する。
【００３８】
なお、表１及び図９に示すように、図９の中間部には前記環境輝度が明るい場合と暗い場合の中間の状態を図示し、前記第一駆動信号のパルス幅は前記第二駆動信号のパルス幅より長いか、短いか、もしくは等しく、前記第一駆動信号の走査周波数は前記第二駆動信号の走査周波数より高くなるか、低くなるか、或いは等しい。また、前記バックライトモジュール７はＣＡＢＣ（Content adaptive brightness control、 CABC）調光に基づいて駆動され、ライトを前記透過部２１に透過させる。１つのフレームでの前記透過部２１及び前記反射部２２の分布は、図６（Ａ）、図６（Ｂ）、図６（Ｃ）、図８（Ａ）、及び図８（Ｂ）に図示するようになり、前記調整値に基づいて調整を行う。
【表１】
2015219520.tif 000003
【００３９】
前記調整ユニット５により前記調整値の変動が感知されると、前記制御装置６により前記第一駆動信号及び第二駆動信号のパルス幅が調整され、さらには、前記第一駆動信号及び第二駆動信号の走査周波数も調整される。
【００４０】
また、図１０（Ａ）乃至図１０（Ｄ）は本発明の半透過半反射型パネル装置が伝送モードでの駆動の概略図である。図１０（Ａ）に示すように、１つのフレーム（frame）は信号が前記透過部２１或いは前記反射部２２に書き込まれる操作時間を表す。前記第一フレーム信号は前記反射部２２に書き込まれ、前記第二フレーム信号及び第三フレーム信号は前記透過部２１に書き込まれ、続くフレームでは重複して同じ配置になり、且つ前記反射部２２の前記フレーム信号は漆黒信号である。図１０（Ａ）に示すフレームの配置により、前記透過部２１及び前記反射部２２のデータの極性の平衡が保たれる。
【００４１】
図１０（Ｂ）は図１０（Ａ）に相似するが、しかし、差異は、前記第一フレーム信号及び第二フレーム信号が前記透過部２１に書き込まれ、前記第三フレーム信号が前記反射部２２に書き込まれ、続くフレームでは重複して同じ配置になる点である。
【００４２】
図１０（Ｃ）は図１０（Ａ）に相似するが、しかし、差異は、前記第一フレーム信号が前記反射部２２に書き込まれ、前記第二フレーム信号乃至第七フレーム信号が前記透過部２１に書き込まれ、続くフレームでは重複して同じ配置になる点である。
【００４３】
図１０（Ｄ）は図１０（Ｃ）に相似するが、しかし、差異は、前記第一フレーム信号乃至第六フレーム信号が前記透過部２１に書き込まれ、前記第七フレーム信号が前記反射部２２に書き込まれ、続くフレームでは重複して同じ配置になる点である。
【００４４】
換言すれば、透過方式の駆動図は図１０（Ａ）乃至１０（Ｄ）に示すように、前記反射部２２に書き込まれるフレーム信号が１回の場合、前記透過部２１に書き込まれるフレーム信号は偶数回になる。
【００４５】
また、反射方式の駆動図は図１０（Ａ）乃至１０（Ｄ）に相似するが、但し、差異は、前記透過部２１に書き込まれるフレーム信号が１回の場合、前記反射部２２書き込まれるフレーム信号は偶数回になる点である。
【００４６】
そして、前記調整ユニット５により前記調整値の変動が感知されると、前記制御装置６により前記第一駆動信号及び第二駆動信号の走査時間が調整される。
【００４７】
以上、本発明はこのような実施形態に限定されるものではなく、発明の趣旨を逸脱しない範囲において、種々の形態で実施することができる。
【符号の説明】
【００４８】
１  半透過半反射型パネル装置
２  画素
８  画素
３  ゲートドライブ
４  データドライブ
５  調整ユニット
６  制御装置
７  バックライトモジュール
９  パネル
２１  透過部
８１  透過部
２２  反射部
８２  反射部
３１  第一駆動ユニット
３２  第二駆動ユニット
Ｇ１~Ｇｎ  ゲート線
Ｄ１~Ｄｎ  データ線
【図１】
2015219520.tif 000004
【図２】
2015219520.tif 000005
【図３】
2015219520.tif 000006
【図４】
2015219520.tif 000007
【図５】
2015219520.tif 000008
【図６（Ａ）】
2015219520.tif 000009
【図６（Ｂ）】
2015219520.tif 000010
【図６（Ｃ）】
2015219520.tif 000011
【図７】
2015219520.tif 000012
【図８（Ａ）】
2015219520.tif 000013
【図８（Ｂ）】
2015219520.tif 000014
【図９】
2015219520.tif 000015
【図１０（Ａ）】
2015219520.tif 000016
【図１０（Ｂ）】
2015219520.tif 000017
【図１０（Ｃ）】
2015219520.tif 000018
【図１０（Ｄ）】
2015219520.tif 000019